(57)【要約】【課題】ユーザが原稿の読み取りを行う際に表示の変更を行わない場合に比べ、ユーザが原稿の読み取りを行う際のユーザの操作性を向上させる。【解決手段】選択項目２００の選択がユーザにより未だなされていない状態にて実行キーの操作があった場合、表示制御部は、原稿がセットされる前に表示されていた選択項目２００の数よりも小さい数の選択項目２００であって、原稿の読み取りに関連した選択項目２００を表示する。より具体的には、表示制御部は、原稿の読み取りに関連した選択項目２００として、「コピー」、「スキャン」、「ＦＡＸ」の３つの選択項目２００を表示する。【選択図】図６
2018019137.tif 000002
【特許請求の範囲】
【請求項１】
原稿上の画像を読み取る読み取り手段と、
ユーザにより選択される選択項目を複数表示する表示手段と、
予め定められた箇所に原稿が置かれた場合に、前記表示手段における表示を変更し、当該原稿が置かれる前に表示されていた選択項目の数よりも小さい数の選択項目であって原稿の読み取りに関連した選択項目を当該表示手段に表示する表示制御手段と、
を備える画像読み取り装置。
【請求項２】
前記表示制御手段は、前記予め定められた箇所に原稿が置かれ且つ原稿の読み取りを開始する指示がユーザからあった場合に、前記表示手段における表示を変更し、前記小さい数の選択項目を表示する請求項１に記載の画像読み取り装置。
【請求項３】
前記予め定められた箇所に原稿が置かれる前、前記表示手段には、原稿の読み取りに関連した選択項目が、第１の個数表示され、
前記表示制御手段により前記表示手段における表示が変更された後、当該表示手段には、原稿の読み取りに関連した選択項目が、前記第１の個数よりも少ない第２の個数表示される請求項１又は２に記載の画像読み取り装置。
【請求項４】
前記予め定められた箇所に置かれた原稿の種別を判別する種別判別手段をさらに備え、
前記表示制御手段は、前記種別判別手段により判別された原稿の種別に応じて、表示変更後における前記選択項目の個数を変更することを特徴とする請求項１乃至３の何れかに記載の画像読み取り装置。
【請求項５】
原稿上の画像を読み取る読み取り手段と、
ユーザにより選択される選択項目を複数表示する表示手段と、
前記選択項目の選択がユーザにより行われない状態でユーザが予め定められた動作を行った場合に、前記表示手段における表示を変更し、当該予め定められた動作が行われる前に表示されていた選択項目の数よりも小さい数の選択項目であって原稿の読み取りに関連した選択項目を当該表示手段に表示する表示制御手段と、
を備える画像読み取り装置。
【請求項６】
前記表示制御手段は、予め定められた箇所に原稿が置かれ且つ前記選択項目の前記選択がユーザにより行われない状態でユーザが前記予め定められた動作を行った場合に、前記表示手段における表示を変更し、前記小さい数の選択項目を表示する請求項５に記載の画像読み取り装置。
【請求項７】
前記表示制御手段は、原稿の読み取りを開始する指示がユーザからあり且つ当該指示の後に当該ユーザが前記予め定められた動作を行った場合に、前記表示手段における表示を変更し、前記小さい数の選択項目を表示する請求項５に記載の画像読み取り装置。
【請求項８】
前記表示制御手段は、ユーザが前記予め定められた動作として予め定められたボタンを押圧した場合に、または、前記予め定められた動作としてユーザの視線の向く先が予め定められた動きを行った場合に、前記表示手段における表示を変更し、前記小さい数の選択項目を表示する請求項５乃至７の何れかに記載の画像読み取り装置。
【請求項９】
原稿上の画像を読み取る読み取り手段とユーザにより選択される選択項目を複数表示する表示手段とを備えた画像読み取り装置に設けられたコンピュータにより実行されるプログラムであり、
前記画像読み取り装置の予め定められた箇所に原稿が置かれた場合に、前記表示手段における表示を変更し、当該原稿が置かれる前に表示されていた選択項目の数よりも小さい数の選択項目であって原稿の読み取りに関連した選択項目を当該表示手段に表示する表示制御機能を
前記コンピュータに実現させるためのプログラム。
【請求項１０】
原稿上の画像を読み取る読み取り手段とユーザにより選択される選択項目を複数表示する表示手段とを備えた画像読み取り装置に設けられたコンピュータにより実行されるプログラムであり、
前記選択項目の選択がユーザにより行われない状態でユーザが予め定められた動作を行った場合に、前記表示手段における表示を変更し、当該予め定められた動作が行われる前に表示されていた選択項目の数よりも小さい数の選択項目であって原稿の読み取りに関連した選択項目を当該表示手段に表示する表示制御機能を
前記コンピュータに実現させるためのプログラム。
【発明の詳細な説明】
【技術分野】
【０００１】
本発明は、画像読み取り装置およびプログラムに関する。
【背景技術】
【０００２】
特許文献１には、確認ボタンと、確認ボタンが操作された場合に設定状態を表示する表示手段とを備えた記録装置が開示されている。
【先行技術文献】
【特許文献】
【０００３】
【特許文献１】特開２０００−２３１３０８号公報
【発明の概要】
【発明が解決しようとする課題】
【０００４】
画像読み取り装置などに設置されているディスプレイなどの表示手段には、例えば、複数の選択項目が表示され、ユーザは、この複数の選択項目の中から選択項目を選択する。ここで、表示される選択項目の数が多い場合があり、この場合、ユーザは選択項目を見つけにくく、ユーザの操作性が低下しやすい。
本発明の目的は、ユーザが原稿の読み取りを行う際に表示の変更を行わない場合に比べ、ユーザが原稿の読み取りを行う際のユーザの操作性を向上させることにある。
【課題を解決するための手段】
【０００５】
請求項１に記載の発明は、原稿上の画像を読み取る読み取り手段と、ユーザにより選択される選択項目を複数表示する表示手段と、予め定められた箇所に原稿が置かれた場合に、前記表示手段における表示を変更し、当該原稿が置かれる前に表示されていた選択項目の数よりも小さい数の選択項目であって原稿の読み取りに関連した選択項目を当該表示手段に表示する表示制御手段と、を備える画像読み取り装置である。
請求項２に記載の発明は、前記表示制御手段は、前記予め定められた箇所に原稿が置かれ且つ原稿の読み取りを開始する指示がユーザからあった場合に、前記表示手段における表示を変更し、前記小さい数の選択項目を表示する請求項１に記載の画像読み取り装置である。
請求項３に記載の発明は、前記予め定められた箇所に原稿が置かれる前、前記表示手段には、原稿の読み取りに関連した選択項目が、第１の個数表示され、前記表示制御手段により前記表示手段における表示が変更された後、当該表示手段には、原稿の読み取りに関連した選択項目が、前記第１の個数よりも少ない第２の個数表示される請求項１又は２に記載の画像読み取り装置である。
請求項４に記載の発明は、前記予め定められた箇所に置かれた原稿の種別を判別する種別判別手段をさらに備え、前記表示制御手段は、前記種別判別手段により判別された原稿の種別に応じて、表示変更後における前記選択項目の個数を変更することを特徴とする請求項１乃至３の何れかに記載の画像読み取り装置である。
請求項５に記載の発明は、原稿上の画像を読み取る読み取り手段と、ユーザにより選択される選択項目を複数表示する表示手段と、前記選択項目の選択がユーザにより行われない状態でユーザが予め定められた動作を行った場合に、前記表示手段における表示を変更し、当該予め定められた動作が行われる前に表示されていた選択項目の数よりも小さい数の選択項目であって原稿の読み取りに関連した選択項目を当該表示手段に表示する表示制御手段と、を備える画像読み取り装置である。
請求項６に記載の発明は、前記表示制御手段は、予め定められた箇所に原稿が置かれ且つ前記選択項目の前記選択がユーザにより行われない状態でユーザが前記予め定められた動作を行った場合に、前記表示手段における表示を変更し、前記小さい数の選択項目を表示する請求項５に記載の画像読み取り装置である。
請求項７に記載の発明は、前記表示制御手段は、原稿の読み取りを開始する指示がユーザからあり且つ当該指示の後に当該ユーザが前記予め定められた動作を行った場合に、前記表示手段における表示を変更し、前記小さい数の選択項目を表示する請求項５に記載の画像読み取り装置である。
請求項８に記載の発明は、前記表示制御手段は、ユーザが前記予め定められた動作として予め定められたボタンを押圧した場合に、または、前記予め定められた動作としてユーザの視線の向く先が予め定められた動きを行った場合に、前記表示手段における表示を変更し、前記小さい数の選択項目を表示する請求項５乃至７の何れかに記載の画像読み取り装置である。
請求項９に記載の発明は、原稿上の画像を読み取る読み取り手段とユーザにより選択される選択項目を複数表示する表示手段とを備えた画像読み取り装置に設けられたコンピュータにより実行されるプログラムであり、前記画像読み取り装置の予め定められた箇所に原稿が置かれた場合に、前記表示手段における表示を変更し、当該原稿が置かれる前に表示されていた選択項目の数よりも小さい数の選択項目であって原稿の読み取りに関連した選択項目を当該表示手段に表示する表示制御機能を前記コンピュータに実現させるためのプログラムである。
請求項１０に記載の発明は、原稿上の画像を読み取る読み取り手段とユーザにより選択される選択項目を複数表示する表示手段とを備えた画像読み取り装置に設けられたコンピュータにより実行されるプログラムであり、前記選択項目の選択がユーザにより行われない状態でユーザが予め定められた動作を行った場合に、前記表示手段における表示を変更し、当該予め定められた動作が行われる前に表示されていた選択項目の数よりも小さい数の選択項目であって原稿の読み取りに関連した選択項目を当該表示手段に表示する表示制御機能を前記コンピュータに実現させるためのプログラムである。
【発明の効果】
【０００６】
請求項１の発明によれば、ユーザが原稿の読み取りを行う際に表示の変更を行わない場合に比べ、ユーザが原稿の読み取りを行う際のユーザの操作性を向上させることができる。
請求項２の発明によれば、原稿の読み取りを開始する指示がユーザからなされた後に、表示の変更が行われるようになる。
請求項３の発明によれば、原稿の読み取りに関連する選択項目の数が、表示が変更される前と表示が変更された後とで異ならない場合に比べ、ユーザは、自身が希望する選択項目を見つけやすくなる。
請求項４の発明によれば、原稿の種別に応じて、表示する選択項目の個数を異ならせることができる。
請求項５の発明によれば、ユーザが原稿の読み取りを行う際に表示の変更を行わない場合に比べ、ユーザが原稿の読み取りを行う際のユーザの操作性を向上させることができる。
請求項６の発明によれば、予め定められた箇所にユーザが原稿を置いた後にユーザが行う操作の操作性を向上させることができる。
請求項７の発明によれば、原稿の読み取りを開始する指示がユーザからなされた後に、表示の変更が行われるようになる。
請求項８の発明によれば、ユーザが予め定められたボタンを押圧した場合や、ユーザの視線の向く先が予め定められた動きを行った場合に、表示の変更が行われるようになる。
請求項９の発明によれば、ユーザが原稿の読み取りを行う際に表示の変更を行わない場合に比べ、ユーザが原稿の読み取りを行う際のユーザの操作性を向上させることができる。
請求項１０の発明によれば、ユーザが原稿の読み取りを行う際に表示の変更を行わない場合に比べ、ユーザが原稿の読み取りを行う際のユーザの操作性を向上させることができる。
【図面の簡単な説明】
【０００７】
【図１】画像形成装置を示した図である。
【図２】制御部の機能構成を示したブロック図である。
【図３】画像読み取り部の構成を説明する図である。
【図４】表示部に表示される表示画面の一例を示した図である。
【図５】原稿の画像読み取りに関し制御部により実行される処理の流れを示したフローチャートである。
【図６】変更後の表示画面を示した図である。
【図７】他の表示画面の一例を示した図である。
【図８】原稿の読み取り時に実行される他の処理例を示した図である。
【発明を実施するための形態】
【０００８】
以下、添付図面を参照して、本発明の実施の形態について詳細に説明する。
図１は、本実施形態に係る画像形成装置１０を示した図である。
図１に示すように、本実施形態の画像形成装置１０を構成する各機能部は、バス１０１に接続され、このバス１０１を介してデータの授受を行う。
【０００９】
操作受け付け部１０６は、ユーザからの操作を受け付ける。この操作受け付け部１０６には、操作ボタンや実行キーなどのハードキーが設けられている。
表示手段の一例としての表示部１０７は、タッチパネル方式のディスプレイにより構成され、ＣＰＵ１０２の制御の下、画像形成装置１０に関するデータを表示する。また、表示部１０７は、ユーザが画像形成装置１０を操作する際にユーザが参照するメニュー画面を表示する。
【００１０】
また、表示部１０７は、ユーザが画像形成装置１０を操作する際にユーザが選択する選択項目（選択ボタン）を複数表示する。さらに、本実施形態の表示部１０７は、上記のとおり、タッチパネル方式のディスプレイにより構成され、ユーザによりなされる操作を受け付ける。より具体的には、表示部１０７は、表示部１０７に表示されている選択項目のうちの何れの選択項目がユーザにより選択（押圧）されたかを検知し、ユーザによりなされる操作を受け付ける。
【００１１】
画像読み取り手段の一例としての画像読み取り部１０８は、いわゆるスキャナ装置により構成され、セットされた原稿上の画像を読み取り、原稿の読み取り画像（画像データ）を生成する。
画像読み取り部１０８は、制御部６０により制御される。また、本実施形態では、画像読み取りに関するユーザの設定が、操作受け付け部１０６、表示部１０７を介して行われる。ここで、制御部６０、画像読み取り部１０８、操作受け付け部１０６、および、表示部１０７は、画像の読み取りに関する機能部であり、これらは、原稿上の画像を読み取る画像読み取り装置を構成する機能部として捉えることができる。
【００１２】
画像形成部１０９は、例えば電子写真方式を用い、画像データに応じたトナー像を記録材の一例である用紙に形成する。なお、画像形成部１０９では、インクジェットヘッド方式などの他の方式を用いて画像形成を行ってもよい。
通信部１１０は、通信回線（不図示）に接続され、通信回線に接続されている他の装置との通信を行う通信インターフェースとして機能する。
【００１３】
画像処理部１１１は、画像データが表す画像に色補正や階調補正等の画像処理を施す。
視線検知センサ１１２は、画像形成装置１０に対する操作を行うユーザの視線を検知する。
記憶部１０５は、ハードディスク装置などの記憶装置により構成され、例えば、通信部１１０にて受信したデータや、画像読み取り部１０８にて生成された読み取り画像（画像データ）を記憶する。
【００１４】
制御部６０は、画像形成装置１０の各部を制御する。制御部６０は、ＣＰＵ（Central Processing Unit）１０２、ＲＯＭ（Read Only Memory）１０３、ＲＡＭ（Random Access Memory）１０４により構成される。
ＲＯＭ１０３は、ＣＰＵ１０２により実行されるプログラムを記憶する。ＣＰＵ１０２は、ＲＯＭ１０３に記憶されているプログラムを読み出し、ＲＡＭ１０４を作業エリアにして、プログラムを実行する。
【００１５】
ＣＰＵ１０２によりプログラムが実行されると、ＣＰＵ１０２により画像形成装置１０の各部が制御され、画像形成装置１０は、例えば用紙に画像を形成したり、原稿を読み取って原稿の読み取り画像を生成したりする。
また、本実施形態では、ＣＰＵ１０２によりプログラムが実行されることで、図２（制御部６０の機能構成を示したブロック図）に示すように、制御部６０が、表示制御手段の一例としての表示制御部６１として機能する。この表示制御部６１は、表示部１０７（図１参照）の表示制御を行う。
また、本実施形態では、ＣＰＵ１０２によりプログラムが実行されることで、制御部６０は、種別判別手段の一例としての種別判別部６２として機能する。種別判別部６２は、画像読み取り部１０８にセットされた原稿の種別を判別する。
【００１６】
ここで、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、画像形成装置１０へ提供し得る。
また、ＣＰＵ１０２によって実行されるプログラムは、インターネットなどの通信手段を用いて画像形成装置１０にダウンロードしてもよい。
【００１７】
図３は、画像読み取り部１０８の構成を説明する図である。
画像読み取り部１０８は、原稿を走査（スキャン）することによって画像を読み込むスキャナ装置８０、原稿を構成する用紙を順次搬送する原稿送り装置２０を備える。
【００１８】
原稿送り装置２０には、原稿が置かれる原稿積載部２１、原稿積載部２１に原稿が置かれたことを検知する第１原稿センサＳ１、原稿積載部２１に置かれた原稿のサイズを検知する第１サイズ検知センサＣ１が設けられている。
また、原稿送り装置２０には、原稿積載部２１の下方に位置し、読み取りが終了した原稿を積載する排紙積載部２２が設けられている。さらに、原稿積載部２１の原稿を送りだす送り出しロール２３、用紙を一枚ずつに捌く捌き機構２４が設けられている。
【００１９】
さらに、原稿が搬送される搬送路２５には、一枚ずつに捌かれた原稿を下流側のロールに向けて搬送する搬送ロール２６、スキャナ装置８０に対してレジストレーション調整を施しながら原稿を供給するレジロール２７が設けられている。
また、スキャナ装置８０にて読み込み中の原稿の搬送を助ける案内部材２８、読み込まれた原稿をさらに下流へ搬送するアウトロール２９が設けられている。更に、原稿を排紙積載部２２に排出する排出ロール３０が設けられている。
【００２０】
スキャナ装置８０には、収容筐体１３と、上部カバー１４とが設けられている。
上部カバー１４には、原稿が静止させた状態で載せられる第１プラテンガラス１１Ａ、原稿送り装置２０によって搬送される原稿を読み取るための光を透過させる第２プラテンガラス１１Ｂが取り付けられている。また、第１プラテンガラス１１Ａ上に原稿が置かれたことを検知する第２原稿センサＳ２、第１プラテンガラス１１Ａに置かれた原稿のサイズを検知する第２サイズ検知センサＣ２が設けられている。
【００２１】
また、収容筐体１３の内部には、第１プラテンガラス１１Ａに載せられた原稿や、原稿送り装置２０によって搬送される原稿の読み取りを行う読み取りユニット１２が設けられている。
さらに、収容筐体１３の内部には、読み取りユニット１２を図中左右方向に移動させる移動機構（不図示）が設けられている。
【００２２】
読み取りユニット１２は、第１プラテンガラス１１Ａに載せられた原稿の画像を読み取る際には、第１プラテンガラス１１Ａの下方を、例えば図中左から右へ移動する。また、原稿送り装置２０により搬送される原稿の読み取りが行われる際には、読み取りユニット１２は、第２プラテンガラス１１Ｂの下方に、静止した状態で配置される。
読み取りユニット１２の内部には、ＬＥＤなどにより構成される光源、原稿からの反射光を集光するロッドレンズアレイ、ロッドレンズアレイにより集光された光を受光し画像データを生成するイメージセンサが設けられている。
【００２３】
図４は、表示部１０７に表示される表示画面の一例を示した図である。
本実施形態の画像形成装置１０は、画像読み取り機能、画像出力機能（プリント機能）などの機能を有する。
本実施形態の表示画面には、これらの機能に関連する選択項目２００（選択ボタン）が複数表示される。具体的には、本実施形態では、１２個の選択項目２００が表示される。
【００２４】
ここで、本実施形態では、画像読み取りに関する選択項目２００（選択されると、画像読み取り部１０８により画像読み取り処理が実行される選択項目２００）が、６個表示される。
具体的には、「コピー」、「スキャナー（ボックス保存）」、「ファックス／インターネットファックス」、「らくらくファックス」、「スキャナー（メール送信）」、「スキャナー（ＰＣ保存）」の６個の選択項目２００が表示される。
【００２５】
この６個の選択項目２００の何れかが選択されると、画像読み取り部１０８により原稿上の画像が読み取られ、その後、各選択項目２００に対応した処理がさらに実行される。
例えば、「コピー」の選択項目２００が選択された場合は、画像読み取り部１０８により原稿上の画像が読み取られ、次いで、画像形成部１０９（図１）によって、読み取られた画像が用紙上に形成される。
【００２６】
図５は、原稿の画像読み取りに関し制御部６０により実行される処理の流れを示したフローチャートである。
本実施形態では、まず、制御部６０が、表示部１０７からの出力に基づき、表示画面上の選択項目２００の選択がユーザにより行われたか否かを判断する（ステップ１０１）。具体的には、図４にて示した１２個の選択項目２００のうちの何れかの選択項目２００が選択されたか否かを判断する。
【００２７】
そして、制御部６０は、ステップ１０１にて、選択項目２００の選択が行われたと判断した場合は、この選択項目２００に対応した処理を実行する（ステップ１０６）。
一方で、制御部６０は、ステップ１０１にて、選択項目２００の選択が行われなかったと判断した場合は、原稿積載部２１（図３参照）に原稿が置かれているか否かを判断する（ステップ１０２）。なお、原稿が置かれているか否かの判断は、第１原稿センサＳ１（図３参照）からの出力に基づき行う。
【００２８】
そして、制御部６０は、ステップ１０２にて、原稿積載部２１に原稿が置かれていないと判断した場合、ステップ１０１の処理に戻り、表示画面上の選択項目２００の選択がユーザにより行われたか否かを再び判断する。
一方で、制御部６０は、ステップ１０２にて、原稿積載部２１に原稿が置かれていると判断した場合は、操作受け付け部１０６（図１参照）に設けられた実行キーがユーザにより操作（押圧）されたか否かを判断する（ステップ１０３）。言い換えると、制御部６０は、原稿の読み取りを開始する指示がユーザからあった否かを判断する。
【００２９】
制御部６０は、ステップ１０３にて、実行キーがユーザにより押圧されていないと判断した場合、ステップ１０１の処理に戻り、表示画面上の選択項目２００の選択がユーザにより行われたか否かを再び判断する。
一方で、ステップ１０３にて、実行キーがユーザにより押圧されたと判断した場合は、表示制御部６１（図２参照）が、表示部１０７の表示画面を変更する（ステップ１０４）。
【００３０】
具体的には、表示制御部６１は、表示部１０７の表示画面を、図６（変更後の表示画面を示した図）に示す表示画面に変更し、選択項目２００の個数を減らす。
付言すると、本実施形態では、選択項目２００の選択がユーザにより未だなされていない状態にて実行キーの操作があった場合（原稿の読み取りを開始する指示があった場合）、表示画面を変更し、表示する選択項目２００の数を減らす。
【００３１】
より具体的には、選択項目２００の選択がユーザにより未だなされていない状態にて実行キーの操作があった場合、表示制御部６１は、原稿がセットされる前に表示されていた選択項目２００の数よりも小さい数の選択項目２００であって、原稿の読み取りに関連した選択項目２００を表示する。
より具体的には、表示制御部６１は、原稿の読み取りに関連した選択項目２００として、図６に示すように、「コピー」、「スキャン」、「ＦＡＸ」の３つの選択項目２００を表示する。
【００３２】
これにより、ユーザは、選択項目２００の選択をより容易に行える。
ここで、操作に不慣れなユーザにより表示部１０７に対する操作が行われることも想定され、この場合、選択項目２００の数が多いと、ユーザは、何れの選択項目２００を選択したらいいかが分かりにくくなる。そして、この場合、ユーザの操作性が低下する。
【００３３】
そこで、本実施形態では、選択項目２００の選択がなされていない状態での実行キーに対する操作をトリガーとして、表示画面を変更し、表示する選択項目２００の数を減らす。
より具体的には、表示画面が変更される前においては、上記のとおり、選択項目２００の数が１２個であったが、表示画面を変更した後は、選択項目２００の数は３個となる。
さらに、本実施形態では、表示画面が変更される前においては、上記のとおり、原稿の読み取りに関連する選択項目２００の数が６個であったが、表示画面を変更した後は、原稿の読み取りに関連した選択項目２００の数は、この６個よりも少ない３個となる。
これにより、本実施形態では、ユーザの選択肢が減り、選択項目２００の数が減らない場合に比べ、ユーザは、次に何れの操作を行ったらよいかをより明確に把握しうる。
【００３４】
その後、本実施形態では、図５のステップ１０５に示すように、ユーザが、表示画面上の選択項目２００の何れかを選択する。そして、本実施形態では、制御部６０が、この選択項目２００に対応した処理を実行する（ステップ１０６）。
【００３５】
なお、上記では、実行キーに対する操作があった場合に、表示画面を変更して、選択項目２００の数を減らしたが、実行キーに対する操作の有無に関わらず、原稿が原稿積載部２１に置かれたら、表示画面を変更し、選択項目２００の数を減らしてもよい。
また、上記では、原稿積載部２１に原稿が置かれる場合の処理を一例に説明したが、原稿が第１プラテンガラス１１Ａ（図３参照）に置かれる場合も、上記と同様の処理（選択項目２００の数を減らす処理）を実行してもよい。
【００３６】
また、図６では、３個の選択項目２００を表示する場合を説明したが、図７（他の表示画面の一例を示した図）に示すように、原稿の種別によっては、３個を超える選択項目２００を表示してもよい。具体的には、図７に示す例では、変更後の表示画面にて、「免許証コピー」を含めた４個の選択項目２００を表示している。
【００３７】
具体的には、本実施形態では、例えば、第１プラテンガラス１１Ａ（図３参照）に原稿が置かれた場合、種別判別部６２（図２参照）が、この原稿のサイズ（原稿の種別の一例）を検知する。より具体的には、第２サイズ検知センサＣ２（図３参照）による検知結果に基づき、原稿のサイズを検知する。
【００３８】
そして、表示制御部６１は、種別判別部６２により検知されたサイズが免許証サイズであった場合、表示する選択項目２００の個数を変更し、選択項目２００を３個表示するのではなく、選択項目２００を４個表示する。言い換えると、「免許証コピー」を含めた４個の選択項目２００を表示する。
【００３９】
ここで、原稿が免許証の場合、免許証特有の形態でコピーが行われることがある。具体的には、まず、免許証の第１面の画像読み取りを行い、次いで、ユーザが免許証の表裏を反転したうえで免許証の第２面の画像読み取りを行い、最後に、用紙の一方の面に、この第１面の画像、第２面の画像を形成することがある。
【００４０】
ここで、上記のように、４個目の選択項目２００を表示するようにすれば、免許証のコピーをユーザが行う際の操作がより簡易となり（免許証のコピーを行う際に要する操作の回数が減るようになり）、ユーザの利便性がさらに高まる。
ここで、「免許証コピー」という選択項目を表示しない場合は、例えば、図６にて表示されている「コピー」の選択項目２００をユーザが選択した後に、免許証のコピーのための操作（選択項目２００の更なる選択）を更に行うことになり、「免許証コピー」という選択項目２００を表示する場合に比べ、ユーザの操作回数が増えてしまう。
【００４１】
図８は、原稿の読み取り時に実行される他の処理例を示した図である。
この処理では、まず、上記と同様に、選択項目２００の選択がユーザに行われたか否かを判断し（ステップ２０１）、次いで、原稿積載部２１に原稿が置かれているか否かを判断する（ステップ２０２）。さらに、上記と同様、実行キーの操作があったかを判断する（ステップ２０３）。
【００４２】
そして、本実施形態では、ステップ２０３にて、実行キーの操作があったと判断した場合（原稿の読み取りを開始する指示がユーザからあった場合）、制御部６０は、ユーザが次に行うべき操作を迷っているか否かを判断する（ステップ２０４）。
より具体的には、制御部６０は、ユーザが予め定められた操作ボタン（操作受け付け部１０６（図１参照）に設置されている操作ボタン）を押圧しているか否か、または、ユーザの視線の向く先が予め定められた動きを行っているか否かを判断し、ユーザが次に行うべき操作を迷っているか否かを判断する。
【００４３】
そして、本実施形態では、ステップ２０４にて、ユーザが迷っていると判断した場合に、表示制御部６１が、上記と同様に、表示部１０７における表示を変更し（ステップ２０５）、表示されている選択項目２００の数を減らす。
言い換えると、本実施形態では、選択項目２００の選択がユーザにより行われない状態で、ユーザが予め定められた動作（実行キーを操作する動作、および、迷っていることを示す動作）を行った場合に、表示部１０７における表示を変更し、表示されている選択項目２００の数を減らす。
【００４４】
なお、上記と同様、実行キーに対する操作の有無に関わらず、原稿積載部２１に原稿が置かれ、且つ、迷っていることを示す動作をユーザが行ったら、表示部１０７における表示を変更し、表示する選択項目２００の数を減らしてもよい。
【００４５】
ここで、本実施形態では、制御部６０は、ユーザが予め定められた操作ボタンを押圧した場合に、または、ユーザの視線の向く先が予め定められた動きを行った場合に、ユーザは迷っていると判断する。
ユーザが操作の過程で迷うと、ユーザは、例えば、操作受け付け部１０６に複数設けられている操作ボタンのうちの、例えばエスケープに相当する操作ボタンを何度も押したりする。また、実行キーを何度も押したりする。また、視線が定まらず、視線の向く先が大きく移動する。
【００４６】
本実施形態では、ユーザのこれらの動きを検知した場合に、ユーザが迷っていると判断する。そして、この場合、上記のように、表示を変更し、選択項目２００の個数を減らす。
なお、ユーザの視線が向く先の検知は、視線検知センサ１１２（図１参照）の出力に基づき行う。ここで、視線検知センサ１１２は、公知の視線検知技術により、ユーザの視線の検知を行う。この視線検知技術では、例えば、瞳孔や虹彩などの位置を捉えて、ユーザの視線の向く先を捉える。
【００４７】
その後、本実施形態では、上記と同様、ステップ２０６にて、ユーザが、表示画面上の選択項目２００の何れかを選択する。そして、本実施形態では、制御部６０が、この選択項目２００に対応した処理を実行する（ステップ２０７）。
【符号の説明】
【００４８】
６０…制御部、６１…表示制御部、６２…種別判別部、１０６…操作受け付け部、１０７…表示部、１０８…画像読み取り部
【図１】
2018019137.tif 000003
【図２】
2018019137.tif 000004
【図３】
2018019137.tif 000005
【図４】
2018019137.tif 000006
【図５】
2018019137.tif 000007
【図６】
2018019137.tif 000008
【図７】
2018019137.tif 000009
【図８】
2018019137.tif 000010